(57)【特許請求の範囲】
【請求項１】
板材の一方面の全域に亘って板材と一体に接着積層した断熱層を有する断熱パネルを、建築物の外壁や屋根の下地として軸組へ取り付ける場合において、断熱材を外側に、板材を内側にして軸組に密着させ、この断熱材の上から、釘頭を叩く打撃棒の先端部分が断熱材の厚さに等しい長さだけ飛び出す構造に設計された自動釘打ち機を用い、釘頭が断熱材を完全に貫通して板材の表面に到達するように釘打ち接合することを特徴とする、断熱パネルの接合方法。
【発明の詳細な説明】
【０００１】
【産業上の利用分野】
この発明は、建築物の外壁や屋根などの、断熱下地材の取り付け方に関する。合板等の板材と板状断熱材とが一体となった、いわゆる断熱パネルを、柱、土台、胴差、垂木等に接合する場合の、合理的な接合方法を提供するものである。
【０００２】
【従来の技術】
従来、合板などの板材と発泡プラスティック系断熱材とが一体となった断熱パネルが、建築物の屋根や外壁の下地として使用されており、その取り付けにおいては、次のような接合方法が採られている。
（イ）断熱材の長さ及び幅を、板材の長さ及び幅より一回り小さくして、板材の周縁部に鍔部を設けた構造の断熱パネルを、断熱材が、柱や横架材の間に収まるように、鍔部を柱や横架材の側面すなわち屋外側の面にあてがい、板材の鍔部に外側から釘打ちする。
（ロ）断熱材の長さ及び幅を、板材の長さ及び幅より一回り小さくして、板材の周縁部に鍔部を設けた構造の断熱パネルを、断熱材が、柱や横架材の外側に位置するように、すなわち、上記（イ）の例を裏返しにして、鍔部を柱や横架材の側面すなわち屋外側の面にあてがい、板材の鍔部に釘打ちした後、鍔部の幅に合わせて棒状に加工された断熱材を、鍔部に取り付けて断熱材欠損をなくす。
（ハ）板状断熱材の両面に、長さ及び幅がこれと同寸の板材を一体に接着積層した断熱パネルを、垂木の上に乗せ掛け、長い釘やビス等を用いて、表側の板材の上から下の垂木に止めつける。
【０００３】
【発明が解決しようとする課題】
しかし、上記（イ）においては、柱や横架材は断熱材を介さずに外装材と向き合うために、この部分がいわゆる熱橋となって、建物全体の断熱性能が落ちるという問題点がある。
【０００４】
上記（ロ）の場合は、断熱パネルを釘止めした後で、更に棒状の断熱材を取り付けなければならず、手間がかかるという問題点がある。
【０００５】
また、上記（ハ）の場合は、断熱パネルの両面に板材を設けるために、コストアップになり、重量が嵩むために高所での取り付け作業がやり難くなるという問題点がある。
【０００６】
この発明が解決しようとする課題は、断熱材の周縁部に切り欠きを要しない、すなわち、板材の一方面の全域に亘って板材と一体に接着積層した断熱層を有する断熱パネルを、板材の面を躯体側に密着させて断熱材を外側にし、柱や横架材、垂木等の軸組に容易に接合するにはどのような手段を講じればよいかという点にある。
【０００７】
【課題を解決するための手段】
そのような課題を解決するためにこの発明では、断熱材の上から、この目的のために開発した専用の自動釘打ち機を用いて、釘頭が断熱材を完全に貫通して下の板材の表面にまで到達するように釘を打ち込む、新しい工法を提案する。専用の自動釘打ち機では、釘頭を叩く打撃棒の先端が、断熱材の厚さに等しい長さだけ飛び出す構造になっている。
【０００８】
【作用】
以上述べたように、自動釘打ち機を用いるので施工が楽で速い。そして、自動釘打ち機の釘頭を叩く打撃棒の先端が、断熱材の厚さだけ飛び出すために、断熱材の上から打ち込まれた釘は、釘頭が断熱材を完全に貫通して下の板材の表面に到達し、板材を躯体にしっかりと固定する。このために、断熱パネルの周縁部に断熱材の切り欠き、すなわち鍔部を設ける必要はなく、板材の片面全面に板状の断熱材が一体に接着積層された断熱パネルを用いて、建物の外周全体を覆うことができるので、断熱性と気密性に優れた建築物を提供することができる。また、板材を躯体側にして柱や横架材にしっかりと釘止めすることができるので、面材耐力壁として、耐震性に優れた建築物を提供することができる。このとき、釘打ち作業の後に、釘打ち代の断熱材欠損部に、細長く加工した断熱材を取り付け修復する手間を要することもない。
【０００９】
【実施例】
実施例について図面を参照して説明すると、図１は、本発明による断熱パネルの接合方法を用いて施工された、外周壁に断熱パネルが取り付けられた状態を示す説明図である。１は布基礎、２は土台、３は管柱、４は胴差であり、管柱と管柱との中間には、ここには図示しないが間柱がある。これら壁構面の軸組の側面に、断熱パネル５が釘止めされている。断熱パネル５は、板材８に断熱材９が一体に接着積層されて構成されており、板材８の面が壁構面を構成する軸組の側面に密着している。１１は断熱材９に開いた釘穴である。
【００１０】
図２は、図１におけるＡ〜Ａ’断面図である。６は内壁下地材であり、７は間柱である。８は断熱パネルの板材であり、９は断熱材である。１０は釘であり、釘頭は断熱材９を貫通して板材８の面に達している。１１は断熱材に開いた釘穴である。板材としては、構造用合板やＯＳＢのように、耐力壁用の面材としての充分なる耐力を持つ素材が望ましいが、必ずしもそれらに限定されるものではない。断熱材としては、フォームポリスチレンや硬質ウレタンフォームのような、単位厚さ当りの断熱性能が高く吸水性の極めて低い素材が望ましいが、必ずしもそれらに限定されるものではない。また、釘１０に代えて、木ネジを用いてもよい。
【００１１】
図３は、本発明による断熱パネルの接合方法の原理を示す説明図であり、１３は自動釘打ち機の先端すなわち銃口部分、１４は釘頭を叩く打撃棒である。打撃棒の先端は、断熱材の厚さに等しい長さだけ飛び出すように設計されており、いま、打撃棒の先端が飛び出して、釘１０を所定の深さに打ち込んだ状態である。
【００１２】
図４は、本発明による断熱パネルの接合方法を用いた施工例の、他の実施例を示す説明図であり、１５は断熱パネルの裏側の断熱材である。
【００１３】
図５は、従来技術による断熱パネルの接合方法を示す説明図であり、上記従来の技術の（イ）項における説明に該当する。
【００１４】
図６は、従来技術による断熱パネルの接合方法を示す説明図であり、上記従来の技術の（ロ）項における説明に該当する。１２は棒状の断熱材であり、釘打ち代の断熱材欠損部をカバーするために、断熱パネル釘止め後に、取り付けられたものである。
【００１５】
【発明の効果】
本発明は、以上説明したような方法で施工されるので、以下に記載するような効果を奏する。
【００１６】
（１）断熱パネルの周縁部に断熱材の切り欠き、すなわち鍔部を設ける必要がないので、断熱パネルの構造が単純になり、製造コストが安くなる。
（２）長さと幅が同寸の板材と板状断熱材とからなる断熱パネルを用いて、建物の外周全体を覆うことができるので、断熱性と気密性に優れた建築物を提供することがえきる。
（３）板材を躯体側にして柱や横架材にしっかりと釘止めすることができるので、面材耐力壁として、耐震性に優れた建築物を提供することができる。
（４）釘打ち作業の後に、釘打ち代の断熱材欠損部に、細長く加工した断熱材を取り付け修復する手間を要することがない。
【図面の簡単な説明】
【図１】本発明による断熱パネルの接合方法を用いた施工例を示す説明図である。
【図２】図１におけるＡ〜Ａ’断面図である。
【図３】本発明による断熱パネルの接合方法の原理を示す説明図である。
【図４】本発明による断熱パネルの接合方法用いた施工例の、他の実施例を示す説明図である。
【図５】従来技術による断熱パネルの接合方法を示す説明図である。
【図６】従来技術による断熱パネルの接合方法を示す説明図である。
【符号の説明】
１  布基礎
２  土台
３  管柱
４  胴差
５  断熱パネル
６  内壁下地材
７  間柱
８  板材
９  断熱材
１０  釘
１１  釘穴
１２  断熱材
１３  自動釘打ち機の先端
１４  打撃棒
１５  断熱材
【図１】
0003903400.tif 000002
【図２】
0003903400.tif 000003
【図３】
0003903400.tif 000004
【図４】
0003903400.tif 000005
【図５】
0003903400.tif 000006
【図６】
0003903400.tif 000007